(57)【要約】【課題】使用者ごとの設定情報を保存および反映することが可能な画像表示装置、画像表示システム、画像表示方法およびプログラムを提供すること。【解決手段】画像信号とともに、使用者を区別可能な固有データを受信する画像表示装置であって、固有データに対応する設定情報を作成する制御手段と、設定情報を記憶する記憶手段と、を有し、設定情報に基づいて、画像信号を表示する。【選択図】図１
2016031463.tif 000002
【特許請求の範囲】
【請求項１】
画像信号とともに、使用者を区別可能な固有データを受信する画像表示装置であって、
前記固有データに対応する設定情報を作成する制御手段と、前記設定情報を記憶する記憶手段と、を有し、前記設定情報に基づいて、前記画像信号を表示することを特徴とする画像表示装置。
【請求項２】
前記制御手段は、前記記憶手段が前記設定情報を記憶していない場合に、前記設定情報を作成することを特徴とする請求項１に記載の画像表示装置。
【請求項３】
前記制御手段は、前記記憶手段が記憶している設定情報と、前記制御手段が作成した現在の設定情報とが異なっている場合に、前記現在の設定情報を前記記憶手段に記憶させることを特徴とする請求項１または２に記載の画像表装置。
【請求項４】
前記制御手段は、前記画像表示装置の電源を切る場合と、前記画像表示装置と前記固有データを送信する装置との接続が切断される場合のうちいずれかの場合に、前記記憶している設定情報と前記現在の設定情報とを比較することを特徴とする請求項３に記載の画像表示装置。
【請求項５】
前記設定情報は、前記画像表示装置の設置状況に応じて作成されることを特徴とする請求項１から４のいずれか１項に記載の画像表示システム。
【請求項６】
画像信号とともに、使用者を区別可能な固有データを出力する画像出力装置と、
前記固有データに対応する設定情報を作成する制御手段と、前記設定情報を記憶する記憶手段と、を備え、前記設定情報に基づいて、前記画像信号を表示する画像表示装置と、を有することを特徴とする画像表示システム。
【請求項７】
前記固有データは、前記画像出力装置ごとに割り振られていることを特徴とする請求項６に記載の画像表示システム。
【請求項８】
前記画像出力装置は、前記画像信号の出力に使用されるソフトウェアの処理を行う処理手段を有し、
前記処理手段と前記制御手段のうちいずれか一方が、前記ソフトウェアを前記固有データに対応させることを特徴とする請求項６に記載の画像表示システム。
【請求項９】
前記固有データは、前記ソフトウェアの使用者ごとに割り振られていることを特徴とする請求項８に記載の画像表示システム。
【請求項１０】
前記画像出力装置は、前記設定情報を保存する保存手段を備えていることを特徴とする請求項２から９のいずれか１項に記載の画像表示システム。
【請求項１１】
画像信号とともに、使用者を区別可能な固有データが入力される入力ステップと、
前記固有データに対応する設定情報を記憶しているか参照する参照ステップと、
前記設定情報が記憶されていない場合に、前記設定情報を作成する作成ステップと、
前記設定情報に基づいて、前記画像信号を表示する表示ステップと、を有することを特徴とする画像表示方法。
【請求項１２】
画像信号とともに、使用者を区別可能な固有データが入力される入力ステップと、
前記固有データに対応する設定情報を記憶しているか参照する参照ステップと、
前記設定情報が記憶されていない場合に、前記設定情報を作成する作成ステップと、
前記設定情報に基づいて、前記画像信号を表示する表示ステップと、をコンピュータに実行させることを特徴とするプログラム。
【発明の詳細な説明】
【技術分野】
【０００１】
本発明は、画像表示装置、画像表示システム、画像表示方法およびプログラムに関する。
【背景技術】
【０００２】
従来、プロジェクタは、色やコントラストといった映像の設定を変更する機能を備えていることが知られている。プロジェクタの特徴として、設置してあるプロジェクタを多数の人が使用するということがある。プロジェクタの映像の設定は個人で好みの差があるが、多数の人に使用される環境では、好みに合った設定を保存しておく場合は使用の際に設定をするか、個別で設定の保存を行う必要がある。例えば、特許文献１では、画像出力装置からの出力画像に設定情報を付加し、プロジェクタ側で設定を抽出することで設定を反映する技術が開示されている。
【先行技術文献】
【特許文献】
【０００３】
【特許文献１】特開２００７−１４８１２４号公報
【発明の概要】
【発明が解決しようとする課題】
【０００４】
しかしながら、特許文献１に開示された従来技術では、使用者が出力画像に対して設定を行う手間が生じてしまう。
【０００５】
このような課題を鑑みて、本発明は、使用者ごとの設定情報を保存および反映することが可能な画像表示装置、画像表示システム、画像表示方法およびプログラムを提供することを目的とする。
【課題を解決するための手段】
【０００６】
本発明の一側面としての画像表示装置は、画像信号とともに、使用者を区別可能な固有データを受信する画像表示装置であって、前記固有データに対応する設定情報を作成する制御手段と、前記設定情報を記憶する記憶手段と、を有し、前記設定情報に基づいて、前記画像信号を表示することを特徴とする。
【０００７】
また、本発明の他の側面としての画像表示システムは、画像信号とともに、使用者を区別可能な固有データを出力する画像出力装置と、前記固有データに対応する設定情報を作成する制御手段と、前記設定情報を記憶する記憶手段と、を備え、前記設定情報に基づいて、前記画像信号を表示する画像表示装置と、を有することを特徴とする。
【０００８】
また、本発明の他の側面としての画像表示方法は、画像信号とともに、使用者を区別可能な固有データが入力される入力ステップと、前記固有データに対応する設定情報を記憶しているか参照する参照ステップと、前記設定情報が記憶されていない場合に、前記設定情報を作成する作成ステップと、前記設定情報に基づいて、前記画像信号を表示する表示ステップと、を有することを特徴とする。
【０００９】
また、本発明の他の側面としてのプログラムは、画像信号とともに、使用者を区別可能な固有データが入力される入力ステップと、前記固有データに対応する設定情報を記憶しているか参照する参照ステップと、前記設定情報が記憶されていない場合に、前記設定情報を作成する作成ステップと、前記設定情報に基づいて、前記画像信号を表示する表示ステップと、をコンピュータに実行させることを特徴とする。
【発明の効果】
【００１０】
本発明によれば、使用者ごとの設定情報を保存および反映することが可能な画像表示装置、画像表示システム、画像表示方法およびプログラムを提供することができる。
【図面の簡単な説明】
【００１１】
【図１】実施例１のプロジェクタシステムのブロック図である。
【図２】実施例１のユーザー設定情報の設定方法についてのフローチャートである。
【図３】実施例２のプロジェクタシステムのブロック図である。
【図４】実施例２のユーザー設定情報の設定方法についてのフローチャートである。
【発明を実施するための形態】
【００１２】
以下、本発明の実施例について、図面を参照しながら詳細に説明する。各図において、同一の部材については同一の参照番号を付し、重複する説明は省略する。
【実施例１】
【００１３】
図１，２を参照して、使用者ごとのユーザー設定情報を自動で保存・反映する方法について説明する。
【００１４】
図１は、本実施例のプロジェクタシステム（画像表示システム）のブロック図である。プロジェクタシステムは、プロジェクタ（画像表示装置）１００と画像出力装置２００ａから構成される。画像出力装置２００ａは、例えば、ＰＣやＤＶＤプレーヤー等である。なお、本実施例では、プロジェクタを用いて説明するが、本発明は表示装置についても適用可能である。
【００１５】
画像出力装置２００ａは、ＨＤＭＩやＤｉｓｐｌａｙＰｏｒｔ、ＬＡＮ等の画像出力に加えて固有データも配信できる方式で画像を出力する。固有データは、使用者を区別可能なデータであればよく、機器の種類やシリアルナンバー、ＭＡＣアドレスといった機器を特定可能なものや、これらを組み合わせたものでもよい。
【００１６】
出力画像と固有データは、プロジェクタ１００のインターフェース部（入力手段）１１に入力される。インターフェース部１１は、入力された画像を画像信号処理部１２に送信し、固有データを制御部１３に送信する。接続は、有線・無線どちらでも構わない。
【００１７】
画像信号処理部１２は、ＤＳＰ等で構成され、画像信号のデコード処理や画像をパネルの解像度に合わせるための変換、台形補正、色処理、コントラスト、明るさ等様々な処理を画像に加える。画像に加えられる処理のうち、自動で行われる処理もあれば、制御部１３から指示されることにより行われる処理もある。画像処理を加えられた画像は、投射光学系１５に送られる。
【００１８】
制御部（制御手段）１３は、プロジェクタ１００の全体を制御する部分で、マイクロコンピュータやＤＳＰ内のＣＰＵ等が該当する。制御部１３には、ＥＥＰＲＯＭやフラッシュメモリ等からなる不揮発性メモリで構成される記憶部１４が接続されている。記憶部（記憶手段）１４には、固有データの情報やそれに対応するユーザー設定情報が保存される。制御部１３は、インターフェース部１１から受け取った固有データについて記憶部１４に記憶・照会を行い、照会されたユーザー設定情報にしたがって画像信号処理部１２や投射光学系１５の設定を行う。
【００１９】
投射光学系１５は、パネルやその駆動部、照明系、投射レンズ等から構成され、画像信号処理部１２から送られた画像データからパネルを駆動し、照明をパネルに当てた後の光を光学系によって投射する。
【００２０】
次に、ユーザー設定情報の設定方法について、図２のフローチャートを用いて説明する。図２に示す設定方法は、コンピュータに各ステップの機能を実行させるためのプログラムとして具現化が可能であり、本実施例では、プロジェクタ１００によって実行可能である。
【００２１】
ステップＳ１００で、ユーザー設定モードを開始する。
【００２２】
ステップＳ１０１で、プロジェクタ１００と画像出力装置２００ａを接続する。接続は、有線・無線どちらでも構わない。
【００２３】
ステップＳ１０２で、画像出力装置２００ａは、装置固有の固有データをプロジェクタ１００に送信する。この作業は、画像出力装置２００ａが自主的に行う場合もあれば、プロジェクタ１００が要求することで行う場合もある。
【００２４】
ステップＳ１０３で、プロジェクタ１００は画像出力装置２００ａから受信した固有データを、インターフェース部１１を通して制御部１３に送信し、制御部１３は記憶部１４に対して固有データの参照を行う。参照した結果、記憶部１４に対応する固有データとユーザー設定情報がない場合はステップＳ１０４に進み、ある場合はステップＳ１０５に進む。
【００２５】
ステップＳ１０４で、制御部１３は、受け取った固有データと、それに対応するユーザー設定情報を新たに作成し、記憶部１４に書き込む。新たに作成するユーザー設定情報は、プロジェクタ１００の現在の設定やデフォルトで持つ設定情報等をもとにして作成される。
【００２６】
ステップＳ１０５で、ステップＳ１０３から進んで来た場合、制御部１３は、記憶部１４に保存されているユーザー設定情報にしたがって、画像信号処理部１２と投射光学系１５の設定を行う。ステップＳ１０４から進んで来た場合、制御部１３は、新たに作成されたユーザー設定情報にしたがって、画像信号処理部１２と投射光学系１５の設定を行う。
【００２７】
ステップＳ１０６で、プロジェクタ１００の電源をＯＦＦにする場合、もしくは画像出力装置２００ａとの接続を切断する場合のいずれか一方の場合に、設定されているユーザー設定情報と記憶部１４に保存されているユーザー設定情報とを比較する。異なる場合はステップＳ１０７に進み、同じ場合はステップＳ１０８でユーザー設定モードを終了する。
【００２８】
ステップＳ１０７で、ステップＳ１０６で設定されているユーザー設定情報を、記憶部１４に保存されているユーザー設定情報に上書きして、ステップＳ１０８でユーザー設定モードを終了する。上書きする際は、使用者に上書きするか否かを確認するように設定してもよい。
【００２９】
以上の制御によって、プロジェクタ側で使用者ごとのユーザー設定情報を自動保存し、再度使用する際に自動保存されていた設定を反映することが可能となる。なお、以上説明した動作は、画像信号の処理とともに行ってもよいし、画像信号を処理する前に行ってもよい。
【００３０】
また、本実施例では、固有データに紐付けする情報をユーザー設定情報としたが、プロジェクタの設置状況に応じてユーザー設定情報を作成してもよい。
【実施例２】
【００３１】
図３，４を参照して、出力装置側のソフトウェアを使用する場合における、使用者ごとの設定情報を自動で保存・反映する方法について説明する。なお、実施例１と同じ構成については同一の符号とし、変更部分のみ説明する。
【００３２】
図３は、本実施例のプロジェクタシステムのブロック図である。プロジェクタシステムは、プロジェクタ１００と画像出力装置２００ｂから構成される。画像出力装置２００ｂは、例えば、ＰＣやスマートフォンといった情報端末装置のように、ソフトを導入することが可能な装置に限定される。
【００３３】
画像出力装置２００ｂは、ソフト部（処理手段）２１とインターフェース部２２を有する。ソフト部２１は、画像出力装置２００ｂにおいて動作可能なソフトを動作させる。例えば、ＰＣであれば、ＨＤＤに保存され、メモリ上からＯＳを介して動作させる等が考えられる。インターフェース部２２は、インターフェース部１１と接続され、データを双方向に通信可能である。
【００３４】
プロジェクタ１００の構成は、実施例１と同じであるが、記憶部１４にプロジェクタ１００に画像を転送するための画像転送用ソフトが記録されている。インターフェース部１１とインターフェース部２２の画像のやり取りには、このソフトを使用する。
【００３５】
次に、ユーザー設定情報の設定方法について、図４のフローチャートを用いて説明する。図４に示す設定方法は、コンピュータに各ステップの機能を実行させるためのプログラムとして具現化が可能であり、本実施例では、プロジェクタ１００によって実行可能である。
【００３６】
ステップＳ２００で、ユーザー設定モードを開始する。
【００３７】
ステップＳ２０１で、プロジェクタ１００と画像出力装置２００ｂを接続する。接続は、有線・無線どちらでも構わない。
【００３８】
ステップＳ２０２で、制御部１３は、画像出力装置２００ｂが画像転送用ソフトを導入しているかどうかを確認する。画像出力装置２００が画像転送用ソフトを導入している場合はステップＳ２０６に進み、導入していない場合はステップＳ２０３に進む。
【００３９】
ステップＳ２０３で、制御部１３は画像出力装置２００ｂに固有データを要求し、画像出力装置２００はインターフェース部２２とインターフェース部１１を通して制御部１３に固有データを送信する。
【００４０】
ステップＳ２０４で、制御部１３は、画像出力装置２００ｂから受信した固有データを、記憶部１４に記録された画像転送用ソフトに設定する。制御部１３は設定した画像転送用ソフトを画像出力装置２００に送信し、画像出力装置２００は送信された画像転送用ソフトをソフト部２１に導入する。
【００４１】
ステップＳ２０５で、制御部１３は、受け取った固有データと、それに対応するユーザー設定情報を新たに作成し、記憶部１４に書き込む。新たに作成するユーザー設定情報は、プロジェクタ１００の現在の設定やデフォルトで持つ設定情報等をもとにして作成される。
【００４２】
ステップＳ２０６で、制御部１３は、画像転送用ソフトに使用者を判別可能な固有データが割り振られているかを確認する。割り振られている場合はステップＳ２０７に進み、割り振られていない場合はステップＳ２０８に進む。
【００４３】
ステップＳ２０７で、制御部１３は、記憶部１４に対して固有データの参照を行う。参照した結果、固有データに対応するユーザー設定情報がある場合はステップＳ２１０に進み、ない場合はステップＳ２０９に進む。
【００４４】
ステップＳ２０８で、制御部１３は画像転送用ソフトに固有データを要求し、ソフト側は固有データを収集してプロジェクタ１００側に送信する。固有データは、例えば、ＰＣアカウントとして、ＰＣにログインしている使用者ごとに設定してもよい。なお、制御部１３が固有データを要求するのではなく、ソフト部２１で固有データを自動収集できるようにしてもよい。
【００４５】
ステップＳ２０９で、制御部１３は、受け取った固有データと、固有データに対応するユーザー設定情報を新たに作成し、記憶部１４に書き込む。新たに作成するユーザー設定情報は、プロジェクタ１００の現在の設定やデフォルトで持つ設定情報等をもとにして作成される。
【００４６】
ステップＳ２１０で、制御部１３は、記憶部１４に保存されているユーザー設定情報にしたがって、画像信号処理部１２と投射光学系１５の設定を行う。
【００４７】
ステップＳ２１１で、プロジェクタ１００の電源をＯＦＦにする場合、もしくは画像出力装置２００ｂとの接続を切断する場合のいずれか一方の場合に、設定されているユーザー設定情報と記憶部１４に保存されているユーザー設定情報とを比較する。異なる場合はステップＳ２１２に進み、同じ場合はステップＳ２１３でユーザー設定モードを終了する。
【００４８】
ステップＳ２１２で、ステップＳ２１１で設定されているユーザー設定情報を、記憶部１４に保存されているユーザー設定情報に上書きして、ステップＳ２１３でユーザー設定モードを終了する。上書きする際は、使用者に上書きするか否かを確認するように設定してもよい。
【００４９】
以上の制御によって、プロジェクタ側で使用者ごとのユーザー設定情報を自動保存し、再度使用する際に自動保存されていた設定を反映することが可能となる。
【００５０】
また、本実施例では、固有データとそれに対応するユーザー設定情報をプロジェクタのみが保存しているが、画像出力装置の保存手段や双方にユーザー設定情報を保存してもよい。そうすることで、異なるプロジェクタに対しても同等の設定を反映することが可能となる。
【００５１】
以上、本発明の好ましい実施形態について説明したが、本発明はこれらの実施形態に限定されず、その要旨の範囲内で種々の変形及び変更が可能である。
【符号の説明】
【００５２】
１３                制御部（制御手段）
１４                記憶部（記憶手段）
１００              プロジェクタ（画像表示装置）
【図１】
2016031463.tif 000003
【図２】
2016031463.tif 000004
【図３】
2016031463.tif 000005
【図４】
2016031463.tif 000006